(57)【特許請求の範囲】
【請求項１】
ハウジングと竪ロールチョックと竪ロールとからなる上下方向に昇降するスタンド組替式条鋼圧延機の入り側及び出側に設けられる鋼片ガイド装置であって、前記ハウジングにスタンド組替式条鋼圧延機とともに一体的に昇降するガイドボックス摺動用部材を設け、該ガイドボックス摺動用部材に摺動及び係合可能にガイドボックスを設けると共に、前記ガイドボックスを、前記スタンド組替式条鋼圧延機とは別設した固定ベースに係止自在に設けたことを特徴とするスタンド組替式条鋼圧延機の鋼片ガイド装置。
【請求項２】
ガイドボックスの内側で上下位置に、上フンド及び下フンドを揺動可能に取り付けると共に、前記上フンド及び下フンドの先端部に、無駆動のローラーを取り付けてなることを特徴とする請求項１記載のスタンド組替式条鋼圧延機の鋼片ガイド装置。
【発明の詳細な説明】
【０００１】
【発明の属する技術分野】
本発明は、スタンド組替式条鋼圧延装置において、省スペースで且つスタンド組替時及びスタンド昇降時にパスラインの高さ調整が不要なスタンド組替式条鋼圧延装置の鋼片ガイド装置に関する。
【０００２】
【従来の技術】
従来のスタンド組替式条鋼圧延装置等の全体設備の概要を図２に示す。図２において、図示していない鋼片は、鋼片のパスライン６に沿って配置された水平ロール４を備えた水平圧延機３、ガイド装置５、竪ロール２を備えた条鋼圧延機１、ガイド装置５、水平圧延機３の順に圧延され所定の形状に成形される。このスタンド組替式条鋼圧延装置の圧延操業において、一般に、条鋼圧延機１は、一体的に昇降するため、前後面に配設されている水平圧延機３との関係上、操業時に鋼片のパスライン６の高さを一定に保つための調整が必要である。そのため、条鋼圧延機１の前後には、ガイド装置５が設けられている。このガイド装置５の構造として、代表的なものに下記の２通りのものが知られている。
【０００３】
その一つは、特開昭６３−１３３８０６号公報に開示されているように、条鋼圧延機の内部に、竪ロールと共に配設されたレストバーに、ガイドが昇降可能に設けられたいわゆるレストバー式ガイド装置である。
【０００４】
他の一つは、特開平７−３２０２６号公報に開示されているように、条鋼圧延機の入り側及び出側に、各々独立して設けられたガイド装置であり、該ガイド装置が、ガイド稼働位置から条鋼圧延機のスタンド組み替え又はロール孔型変更のためのロール昇降移動軌跡の外側位置に、回避すべく移動可能に構成されている、いわゆる旋回式ガイド装置のものである。
【０００５】
【発明が解決しようとする課題】
しかしながら、レストバー式ガイド装置の場合、操業時、竪ロールが孔型替えのため、条鋼圧延装置と一体的に昇降すると、ガイド装置も同様に昇降するため、その後、パスライン６の高さを前後の水平圧延機３と同一にするためのガイド装置のレベル調整が必要であり、その分ロール孔型替え時間が多くかかっており、また、圧延不良等の発生を防ぐために精度良く位置合わせする必要があり、そのため熟練者によるレベル確認等も必要であった。
【０００６】
また、旋回式ガイド装置の場合、片持ち支持であるため設備が大きくなるばかりでなく、旋回機構も備える必要があり、また、旋回スペースを確保する必要があるため設備費大となっていた。また、旋回スペースを確保するため、スタンド間距離を短縮することができないので、条鋼圧延装置全体設備のコンパクト化もできなかった。
【０００７】
本発明は、前記の課題を解決するために、操業により竪ロールが孔型替えのため、スタンドと一体的に昇降した場合でもパスライン高さを一定にするためのガイド装置のレベル調整を不要として、ロール孔型替え時間を短縮すると共に、熟練者によるレベル確認等も不要とし、さらにガイド装置をコンパクトにしてスタンド間距離を短縮させ、条鋼圧延装置としての全体設備のコンパクト化を図ることを目的とする。
【０００８】
【課題を解決するための手段】
前記の課題を解決するために、本発明のスタンド組替式条鋼圧延機の鋼片ガイド装置は、ハウジングと竪ロールチョックと竪ロールとからなる上下方向に昇降するスタンド組替式条鋼圧延機の入り側及び出側に設けられる鋼片ガイド装置であって、前記ハウジングにスタンド組替式条鋼圧延機とともに一体的に昇降するガイドボックス摺動用部材を設け、該ガイドボックス摺動用部材に摺動及び係合可能にガイドボックスを設けると共に、前記ガイドボックスを、前記スタンド組替式条鋼圧延機とは別設した固定ベースに係止自在に設けたことを特徴とする。
【０００９】
さらに、前記構成において、ガイドボックスの内側で上下位置に、上フンド及び下フンドを揺動可能に取り付けると共に、前記上フンド及び下フンドの先端部に、無駆動のローラーを取り付けてなることを特徴とする。
【００１０】
【発明の実施の形態】
以下、本発明の実施の形態について、本発明のスタンド組替式条鋼圧延機の鋼片ガイド装置の全体見取り図を示す図１を用いて説明する。同図において、スタンド組替式条鋼圧延機１は、ハウジング７と、ハウジング７に設けられた上下の竪ロールチョック８，８に配置された一対の竪ロール２，２とから構成されている。スタンド組替式条鋼圧延機１は、図示していない昇降手段によって、圧延機一体として、上下に、昇降される。
【００１１】
前記スタンド組替式条鋼圧延機１のパスライン６方向の入り側及び出側には、鋼片のガイドとなるガイドボックス９の摺動用部材であるガイドボックス摺動用部材１２が設けられている。ガイドボックス摺動用部材１２には、摺動及び係合可能に、ガイドボックス９が設けられている。
【００１２】
ガイドボックス９には、上フンド１０及び下フンド１１がそれぞれフンド取付け治具１９により揺動可能に取り付けられている。上フンド１０及び下フンド１１のそれぞれの先端部には、鋼片のガイド時に、鋼片とガイドとの接触によるガイドの焼き付きを防止する無駆動のローラー１６が取り付けられている。また、ガイドボックス９の先端の両側部には、サイドガイド１５が設けられ、これにより鋼片の圧延・移動時、鋼片の水平方向位置がガイドされる。
【００１３】
ガイドボックス９の両側部には、凸部９ａが形成されており、凸部９ａとガイドボックス摺動用部材１２の凹部とが摺動する。また、凸部９ａとガイドボックス摺動用部材１２の所定の箇所には、開口部が設けられており両者の開口部へ係合ピン１３を出し入れすることにより、ガイドボックス９とガイドボックス摺動用部材１２とが一体的に合体・分離される。
【００１４】
ガイドボックス９の下部には、ガイドボックスの固定部材２１が形成されている。スタンド組替式条鋼圧延機１に、基礎から別設した固定ベース２０の端部上面には、固定部材２１の受け座２２が設けられている。また、固定ベース２０には、一対の油圧シリンダ１７が設けられており、油圧シリンダ１７の伸縮によりリンク１８を介して、リンク１８の先端に設けられているガイドクランプ１４が傾動し、ガイドボックス９の下部に設けられた固定部材２１をガイドクランプ１４と受け座２２とで挟むことにより係止自在になっている。
【００１５】
以上の構成を有するスタンド組替式条鋼圧延機の鋼片ガイド装置の動作について説明する。
【００１６】
スタンド組替式条鋼圧延機１に組み込まれている竪ロール２は、軸長手方向に形状の異なる種々の孔型が形成されており、鋼片の圧延経過に応じてスタンド組替式条鋼圧延機１全体が一体的に昇降し、所要の孔型により、鋼片は、圧延される。
【００１７】
このスタンド組替式条鋼圧延機１全体の昇降時、係合ピン１３は抜かれており、一方、ガイドボックス９の下端部に形成されている固定部材２１は、ガイドクランプ１４の図１の左方向への傾動により、係止されている。これにより、スタンド組替式条鋼圧延機１が一体的に昇降した場合でもガイドボックス９は、上下に移動することなく、オンラインにおいて、前後面の水平ロールのパスライン６と一致させることができる。
【００１８】
また、スタンド組替式条鋼圧延機１のスタンドの組み替え時には、開口部に係合ピン１３が挿入されており、スタンド組替式条鋼圧延機１とガイドボックス９とが一体のものとなり、一方は、ガイドクランプ１４の図１の右方向への傾動により固定部材２１は、アンクランプの状態であり、容易にスタンド交換を行うことができる。また、圧延時において、ガイドに加わる圧延材の衝突力は、水平力をスタンドで受け、上下力をクランプ部で受けることにより設備がコンパクトにできる。
【００１９】
【発明の効果】
本発明では、鋼片ガイド装置をスタンド組み込み式にし、スタンド内で上下方向にスライド可能とすることにより、オンラインスタンド組替及び孔型替えを短時間で行うことができるとともに、非常に安価なガイド装置にすることができる。
【００２０】
また水平圧延機と竪型圧延機を兼用できるコンバータブルスタンドでは水平圧延機用のスタンドクランプ装置がついており、このスタンドクランプ装置とガイドクランプ装置を兼用することで、更に安価なガイド装置とすることができる。
【図面の簡単な説明】
【図１】本発明のスタンド組替式条鋼圧延機の鋼片ガイド装置の全体見取り図を示す。
【図２】従来のスタンド組替式条鋼圧延機の全体見取り図を示す。
【符号の説明】
１：条鋼圧延機          ２：竪ロール
３：水平圧延機          ４：水平ロール
５：ガイド装置          ６：パスライン
７：ハウジング          ８：竪ロールチョック
９：ガイドボックス
９ａ：凸部              １０：上フンド
１１：下フンド          １２：ガイドボックス摺動用部材
１３：係合ピン          １４：ガイドクランプ
１５：サイドガイド      １６：ローラー
１７：油圧シリンダ      １８：リンク
１９：フンド取付け治具  ２０：固定ベース
２１：ガイドボックスの固定部材
２２：受け座
【図１】
0004237921.tif 000002
【図２】
0004237921.tif 000003